【事件の表示】
　特許第３１３９０８４号「画像記憶装置」の請求項１ないし４に係る特許に対する特許異議の申立てについて、次のとおり決定する。
【結　論】
　訂正を認める。
　特許第３１３９０８４号の請求項１、２に係る特許を維持する。
【理　由】
１．手続の経緯
　特許第３１３９０８４号の請求項１ないし４に係る発明についての出願は、平成３年１１月１日に出願されたものであって、平成１２年１２月１５日にその発明について特許権の設定登録がされ、その後、その特許について、異議申立人有限会社オフィスアテナにより特許異議の申立がなされ、取消しの理由が通知され、その指定期間内である平成１３年１２月２７日に訂正請求がなされたものである。
　
２．訂正の適否についての判断
（１） 訂正の内容
ア．訂正事項ａ
　特許請求の範囲の請求項１ないし４を
「【請求項１】メモリと、前記メモリに書き込まれる画像データのフレーム番号と前記フレーム番号に対応したメモリアドレスとを記憶するテーブルと、前記メモリに書き込まれる画像データのフレーム番号と前記テーブルとに基づいてメモリアドレスを発生し、前記メモリアドレスに基づいて画像データを前記メモリに書き込む書き込み手段とを備え
、前記テーブルは、前記フレーム番号に対応するメモリアドレスを書き換え可能である
【請求項
２
イ． 訂正事項ｂ
　明細書の段落【０００５】を
「【課題を解決するための手段】本発明に係る画像記憶装置は、メモリと、前記メモリに書き込まれる画像データのフレーム番号と前記フレーム番号に対応したメモリアドレスとを記憶するテーブルと、前記メモリに書き込まれる画像データのフレーム番号と前記テーブルとに基づいてメモリアドレスを発生し、前記メモリアドレスに基づいて画像データを前記メモリに書き込む書き込み手段とを備え、
前記テーブルは、前記フレーム番号に対応するメモリアドレスを書き換え可能である
　
（２） 訂正の目的の適否、新規事項の有無及び特許請求の範囲の実質的拡張・変更の存否
　上記訂正事項ａは、特許請求の範囲の減縮を目的とした明細書の訂正に該当し、また、上記訂正事項ｂは、明りょうでない記載の釈明を目的とした明細書の訂正に該当し、いずれも、新規事項の追加に該当せず、実質上特許請求の範囲を拡張し、又は変更するものではない。
　
（３） むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立ての概要
　異議申立人有限会社オフィスアテナは、甲第１号証（特開昭６３−１９２１８０号公報）、甲第２号証（特開昭６３−２８６０７７号公報）、甲第３号証（特開平１−３０５６８６号公報）を提出し、本件請求項１ないし４に係る発明の特許は、特許法第２９条第２項の規定に違反してなされたものであり、本件請求項１ないし４に係る発明の特許は取り消されるべきものである旨主張している。
　
４．特許異議の申立てについての判断
（１）本件発明
　上記のとおり、平成１３年１２月２７日付の訂正請求は認容されるので、本件の請求項１、２に係る発明は、訂正明細書の特許請求の範囲に記載された請求項１、２に記載の次のとおりのものと認める。
「【請求項１】メモリと、前記メモリに書き込まれる画像データのフレーム番号と前記フレーム番号に対応したメモリアドレスとを記憶するテーブルと、前記メモリに書き込まれる画像データのフレーム番号と前記テーブルとに基づいてメモリアドレスを発生し、前記メモリアドレスに基づいて画像データを前記メモリに書き込む書き込み手段とを備え、
前記テーブルは、前記フレーム番号に対応するメモリアドレスを書き換え可能であることを特徴とする画像記憶装置。
【請求項２】更に、画像信号を入力する入力手段と、前記入力手段により入力された画像信号をディジタル信号に変換するＡ／Ｄ変換器と、前記Ａ／Ｄ変換器により変換された画像信号を一時記憶するバッファとを備える請求項１に記載の画像記憶装置。」
　
（２）引用刊行物
　当審が平成１３年１０月２３日付けで通知した取消理由において引用した刊行物１ないし４には、それぞれ、次のような事項が記載されていると認められる。
刊行物１：特開昭６３−１９２１８０号公報（異議申立人有限会社オフィスアテナが提出した甲第１号証）
　データメモリと、前記データメモリに書き込まれるデータのエリア番号と前記エリア番号に対応した先頭アドレスとを記憶する管理テーブルエリアと、前記データメモリに書き込まれるデータのエリア番号と前記管理テーブルエリアとに基づいて先頭アドレスを発生し、前記先頭アドレスに基づいてデータを前記データメモリに書き込む制御素子とを備えることを特徴とするＩＣカード。
刊行物２：特開平１−３０５６８６号公報（異議申立人有限会社オフィスアテナが提出した甲第３号証）
　画像信号の入力手段、入力された画像信号をディジタル信号に変換するＡ／Ｄ変換器、Ａ／Ｄ変換器により変換された画像信号を一時記憶するバッファを備えた画像記憶装置。
刊行物３：特開平３−３８１６８号公報
　画像データをＩＣカードに記憶する画像記憶装置。
刊行物４：特開平２−２３１８８３号公報
　画像データをＩＣカードに記憶する画像記憶装置。
　また、異議申立人有限会社オフィスアテナが証拠として提出した刊行物（特開昭６３−２８６０７７号公報、甲第２号証、以下「刊行物５」という。）には、次のような事項が記載されている。
「複数画像分の画像データを記録可能なメモリを持つ着脱自在なメモリ・カートリッジに画像データを記録したことを表わす記録済みコードを発生する手段、画像データの記録ごとにインクレメントされる記録順序コードの発生手段、および、メモリ・カートリッジのメモリに画像データを記録したときに、上記の発生手段から与えられる記録済コードおよび記録順序コードを、記録した画像データに対応して上記メモリの所定のエリアに記憶させる制御手段を備えている画像データ記録装置。」（特許請求の範囲）
「再生装置のＣＰＵはそのメモリの所定のエリアにおいて、第４図に示すように、各画像メモリＭ１〜Ｍ５に対応してそれらの記録順序コードと画像データの記録エリアの先頭アドレスとからなるテーブルを作成する。ＣＰＵは記録順序コードをキーとしてこのテーブルを検索し、まず記録順序コード１の先頭アドレスを読出して画像メモリ読出し用のアドレス・カウンタにプリセットする。このカウンタを順次インクレメントしていけば、記録順序コード１に対応する１駒分の画像データが読出され、その静止画像が表示装置に表示されることになる。順送り指令が入力されるかまたは一定時間が経過すると、ＣＰＵは上記テーブルから次に記録順序コード２に対応する先頭アドレスを読出して同じように表示処理を行う。このようにして、記録順序の順に静止画像が表示されることになる。符号Ｅの画像の表示は不要である。」（公報５頁右下欄１７行ないし６頁１４行）
　
（３） 対比・判断
（訂正請求項１に係る発明）
　訂正明細書の請求項１に係る発明（以下「請求項１に係る発明」という。）と前記刊行物１ないし５に記載された発明とを対比すると、刊行物１ないし５に記載された発明は、請求項１に係る発明を特定する事項である、
「テーブルは、フレーム番号に対応するメモリアドレスを書き換え可能である」事項を備えておらず、当該事項により請求項１に係る発明は「システム動作中でも変換テーブルを書き換えて利用できる。例えば、システム動作中に、不良記憶領域を回避することができる。図３は、アドレス１０００Ｈ以上、３０００Ｈ未満の領域を使用しないようにしたときの、変換テーブルを示す。図３（ａ）は変換テーブル１８の内容であり、同（ｂ）は画像メモリ１０のメモリ・マップを示す。同（ｂ）の傾斜部分が不使用領域である。」（本件特許明細書の発明の詳細な説明の第１５段落）という作用効果を奏するものであり、この点は前記各刊行物に記載のものからは期待することができない格別のものと認められる。
　したがって、請求項１に係る発明は、刊行物１ないし５に記載された発明から容易に発明をすることができたものとすることはできない。
（訂正請求項２に係る発明）
　訂正明細書の請求項２に係る発明（以下「請求項２に係る発明」という。）は、請求項１に係る発明を引用してさらに限定したものである。
　したがって、請求項２に係る発明は、請求項１に係る発明と同じ理由により、前記刊行物１ないし５に記載された発明から容易に発明をすることができたものとすることはできない。
　
（４） むすび
　以上のとおりであるから、特許異議申し立ての理由及び証拠によっては、本件請求項１、２に係る発明の特許を取り消すことができない。
　また、他に本件請求項１、２に係る発明の特許を取り消すべき理由を発見しない。
　よって、結論のとおり決定する。
【異議決定日】
平成１４年２月２１日（２００２．２．２１）
【訂正の要旨】
訂正の要旨
ａ）訂正事項ａ
　平成１０年１０月２９日提出の手続補正書により補正された特許請求の範囲に
「【請求項１】　メモリ
と、
　
前記メモリ
フレーム番号と前記フレーム番号に対応したメモリアドレスとを記憶するテーブルと、
　
前記メモリに書き込まれる画像データのフレーム番号と前記テーブルとに基づいてメモリアドレスを発生し、前記メモリアドレスに基づいて画像データを前記メモリに重き込む重き込み手段
とを備えることを特徴とする画像記憶装置。
　
【請求項２】　前記テーブルは　前記フレーム番号に対応するメモリアドレスを書き換え可能である請求項１に記載の画像記憶装置。
　
【請求項３】　更に、画像信号を入力する入力手段と、
　前記入力手段により入力された画像信号をディジタル信号に変換するＡ／Ｄ変換器と、
　前記Ａ／Ｄ変換器により変換された画像信号を一時記憶するバッファ
とを備える請求項１に記載の画像記憶装置。
　
【請求項４】　画像データと前記画像データのフレーム番号を示すフレーム番号データとを入力する入力手段と、
　メモリと、
　前記入力手段により入力された前記フレーム番号データをメモリアドレスに変換する変換手段と、
　前記変換手段からのアドレスに基づいて、前記入力手段により入力された前記画像データを前記メモリに書き込む書き込み手段
とを備えることを特徴とする画像記憶装置。」
とあるのを、特許請求の範囲の減縮を目的として、
「【請求項１】　メモリと、
　前記メモリに書き込まれる画像データのフレーム番号と前記フレーム番号に対応したメモリアドレスとを記憶するテーブルと、
　前記メモリに書き込まれる画像データのフレーム番号と前記テーブルとに基づいてメモリアドレスを発生し、前記メモリアドレスに基づいて画像データを前記メモリに書き込む書き込み手段
とを備え
、
　
前記テーブルは　前記フレーム番号に対応するメモリアドレスを重き換え可能である
　【請求項
２
　前記入力手段により入力された画像信号をディジタル信号に変換するＡ／Ｄ変換器と、
　前記Ａ／Ｄ変換器により変換された画像信号を一時記憶するバッファ
とを備える請求項１に記載の画像記憶装置。」
と訂正する。
ｂ）訂正事項ｂ
　明細書の段落【０００５】に、
「【課題を解決するための手段】
　本発明に係る画像記憶装置は、メモリと、前記メモリに書き込まれる画像データのフレーム番号と前記フレーム番号に対応したメモリアドレスとを記憶するテーブルと、前記メモリに書き込まれる画像データのフレーム番号と前記テーブルとに基づいてメモリアドレスを発生し、前記メモリアドレスに基づいて画像データを前記メモリに書き込む書き込み手段とを備えることを特徴とする。
　本発明に係る画像記憶装置はまた、画像データと前記画像データのフレーム番号を示すフレーム番号データとを入力する入力手段と、メモリと、前記入力手段により入力された前記フレーム番号データをメモリアドレスに変換する変換手段と、前記変換手段からのアドレスに基づいて、前記入力手段により入力された前記画像データを前記メモリに書き込む書き込み手段とを備えることを特徴とする。」
とあるのを、明りょうでない記載の釈明を目的として、
「【課題を解決するための手段】
　本発明に係る画像記憶装置は、メモリと、前記メモリに書き込まれる画像データのフレーム番号と前記フレーム番号に対応したメモリアドレスとを記憶するテーブルと、前記メモリに書き込まれる画像データのフレーム番号と前記テーブルとに基づいてメモリアドレスを発生し、前記メモリアドレスに基づいて画像データを前記メモリに書き込む書き込み手段とを備え
、前記テーブルは、前記フレーム番号に対応するメモリアドレスを書き換え可能である
と訂正する。
（５４）【発明の名称】
画像記憶装置
（５７）【特許請求の範囲】
　【請求項１】　メモリと、
　前記メモリに書き込まれる画像データのフレーム番号と前記フレーム番号に対応したメモリアドレスとを記憶するテーブルと、
　前記メモリに書き込まれる画像データのフレーム番号と前記テーブルとに基づいてメモリアドレスを発生し、前記メモリアドレスに基づいて画像データを前記メモリに書き込む書き込み手段
とを備え
、
　
前記テーブルは、前記フレーム番号に対応するメモリアドレスを重き換え可能である
　【請求項
２
　前記入力手段により入力された画像信号をディジタル信号に変換するＡ／Ｄ変換器と、
　前記Ａ／Ｄ変換器により変換された画像信号を一時記憶するバッファ
とを備える請求項１に記載の画像記憶装置。
【発明の詳細な説明】
　【０００１】
　【産業上の利用分野】
　本発明は、画像記憶装置に関し、より具体的には、メモリに画像を記憶する画像記憶装置に関する。
　【０００２】
　【従来の技術】
　半導体技術の向上により、大容量の半導体メモリが比較的安価に供給されるようになり、画像記録再生装置の記録媒体として、また、記録再生又は編集処理などでの記憶媒体としての利用が提案されている。磁気テープや磁気ディスクなどを記録媒体とする場合に比べ、記録画像を高速にサーチできる、任意の同期周波数の動画像を記録再生できる、媒体内でのデータの複写や再配置が容易である、といった利点がある。
　【０００３】
　【発明が解決しようとする課題】
　しかし、画像のように情報量の大きいデータを記憶するには、非常に大きなメモリ容量が必要になり、そのアドレス管理が難しくなる。即ち、一般に画像の単位当たり（即ち、フィールド又はフレーム）の情報量が必ずしも２のべき乗ではないので、各画像に対するアドレスの割り当てが複雑になる。これを簡単にするには、ダミー・データを付加するなどして、画像の単位当たりの情報量を強制的に２のべき乗に揃えればよいが、それでは、利用効率が低下する。
　【０００４】
　本発明は、このような問題点を解決する画像記憶装置を提示することを目的とする。
　【０００５】
　【課題を解決するための手段】
　本発明に係る画像記憶装置は、メモリと、前記メモリに書き込まれる画像データのフレーム番号と前記フレーム番号に対応したメモリアドレスとを記憶するテーブルと、前記メモリに書き込まれる画像データのフレーム番号と前記テーブルとに基づいてメモリアドレスを発生し、前記メモリアドレスに基づいて画像データを前記メモリに書き込む書き込み手段とを備え
、前記テーブルは、前記フレーム番号に対応するメモリアドレスを書き換え可能である
　【０００６】
　【作用】
　上記手段により、複雑なアドレス管理をしなくても、メモリに書き込まれる画像データのフレーム番号とテーブルとで、メモリアドレスを得ることができる。これにより、画像データを迅速に書き込み可能となり、更には、メモリの拡張にも柔軟に対応できるようになる。
　【０００７】
　【実施例】
　以下、図面を参照して本発明の実施例を説明する。
　【０００８】
　図１は、本発明の一実施例の構成ブロック図を示す。１０はランダム・アクセス・メモリ素子からなる画像メモリであり、所定フレーム数の画像を記憶できる記憶容量を具備する。１２はデータ及びアドレス・バス、１４はコントロール信号のコントロール・バスである。１６はフレーム単位で画像メモリ１０を管理するフレーム・アクセス制御回路である。
　【０００９】
　１８は画像メモリ１０に書込む又は書込まれた画像のフレーム番号と、画像メモリ１０上での先頭アドレスとの対応テーブルを記憶するアドレス変換テーブルであり、初期データを記憶するＲＯＭ（リード・オンリー・メモリ）と更新用のＲＡＭ（ランダム・アクセス・メモリ）からなる。２０は画像メモリ１０に対するアクセス要求を調停し、データ・アドレス・バス１２を制御するバス制御回路である。
　【００１０】
　データ・アドレス・バス１２及びコントロール・バス１４には、ｎ個の入出力ポート２２が接続し、各入出力ポート２２には、バッファ２４を介して、外部のアナログ・ビデオ信号をディジタル化してバッファ２４に出力するＡ／Ｄ変換器２６と、バッファ２４から出力されるディジタル・ビデオ信号をアナログ化して外部に出力するＤ／Ａ変換器２８が接続する。バッファ２４、Ａ／Ｄ変換器２６及びＤ／Ａ変換器２８については、１組のみを図示した。バッファ２４により、Ａ／Ｄ変換器２６及びＤ／Ａ変換器２８と、入出力ポート２２から画像メモリ１０までの部分とを非同期に動作させることができる。
　【００１１】
　Ａ／Ｄ変換器２６が外部ビデオ信号をディジタル化し、その出力データがバッファ２４に入力されると、対応する入出力ポート２２がコントロール・バス１４に画像メモリ１０への書込み要求を出力する。この書込み要求に応じて、フレーム・アクセス制御回路１６は、画像メモリ１０に余裕があればフレーム番号を指定して書込みを許可する。なお、フレーム・アクセス制御回路１６は、画像メモリの全記憶領域を１つの記憶領域として制御するだけでなく、複数の記憶領域に分割して制御することもできる。後者の場合には、分割された記憶領域に入出力ポート２２を個別に割り当てることもできる。
　【００１２】
　フレーム・アクセス制御回路１６により指定されたフレーム番号は、コントロール・バス１４を介してバス制御回路２０に入力する。バス制御回路２０は、入力したフレーム番号をアドレス変換テーブル１８に当てはめ、対応する先頭アドレスを読み出す。変換テーブル１８の内容と、画像メモリ１０のメモリ・マップの関係を図２に示す。図２（ａ）は変換テーブル１８の内容であり、同（ｂ）は画像メモリ１０のメモリ・マップを示す。
　【００１３】
　バス制御回路２０は、アドレス変換テーブル１８から読み出された先頭アドレスに従って、入出力ポート２２からデータ・アドレス・バス１０に出力される画像データを画像メモリ１０に書き込む。なお、バス制御回路２０は、複数の入出力ポート２２からのアクセス要求を調停する。
　【００１４】
　画像メモリ１０から所望の画像データを読み出したいときには、フレーム・アクセス制御回路１６に、読み出したい画像のフレーム番号と出力ポートを入力する。フレーム・アクセス制御回路１６が、入力されたフレーム番号及び出力ポートが有効な場合、当該フレーム番号及び出力ポートの指定をバス制御回路２０に転送する。バス制御回路２０はアドレス変換テーブル１８を参照して、画像メモリの先頭アドレスを読み出す。画像メモリ上の当該先頭アドレスから順に１フレーム分の画像データがデータ・アドレス・バス１２に読み出され、出力ポートとして指定された入出力ポート２２がデータ・アドレス・バス１２から画像データを取り込み、バッファ２４に出力する。バッファ２４で速度変換され、Ｄ／Ａ変換器２８によりアナログ信号に変換されて外部に出力される。Ｄ／Ａ変換器２８は任意周波数の外部同期信号により駆動できる。
　【００１５】
　アドレス変換テーブル１８は、先に説明したように、初期テーブルを格納するＲＯＭと更新用のＲＡＭからなる。システム立上げ時にＲＯＭの内容をＲＡＭに転送し、変換テーブルとしてＲＡＭを参照する。これにより、システム動作中でも変換テーブルを書き換えて利用できる。例えば、システム動作中に、不良記憶領域を回避することができる。図３は、アドレス１０００Ｈ以上、３０００Ｈ未満の領域を使用しないようにしたときの、変換テーブルを示す。図３（ａ）は変換テーブル１８の内容であり、同（ｂ）は画像メモリ１０のメモリ・マップを示す。同（ｂ）の斜線部分が不使用領域である。
　【００１６】
　上記実施例では、画像メモリ１０のメモリ容量を増したときでも、変換テーブルを増設するだけでよく、複雑なアドレス管理は不要である。更に、画像メモリ１０の記憶領域を分割して使用する時でも、書込み及び読出しのアドレスを容易に得ることが出来る。
　【００１７】
　バッファ２４とＤ／Ａ変換回路２６及びＡ／Ｄ変換回路２８との間に、それぞれ圧縮回路及び伸長回路を接続してもよい。
　【００１８】
　上記実施例では、１フレームのデータ量が２のべき乗で一定であるかのごとく説明したが、勿論、２のべき乗である必要はなく、更には、解像度や圧縮率などにより１フレームのデータ量が異なる場合にも適用できる。１フレームのデータ量が異なる場合、１フレームの書込み終了時点で、次のフレームの先頭アドレスをアドレス変換テーブル１８にセットしておけばよい。１フレームのデータの終端に終端コードを付加しておけば、画像メモリ１０から読み出す際にも、１フレーム分を支障なく読み出せる。
　【００１９】
　【発明の効果】
　以上の説明から容易に理解できるように、本発明によれば、複雑なアドレス管理をしなくても、多数のフレームの画像データを容易且つ迅速にメモリに書き込むことができる。
【図面の簡単な説明】
　【図１】　本発明の一実施例の構成ブロック図である。
　【図２】　本実施例の変換テーブル１８の内容と画像メモリ１０のメモリ・マップの一例である。
　【図３】　変換テーブル１８の内容と画像メモリ１０のメモリ・マップの別の例である。
　【符号の説明】
１０：画像メモリ　１２：データ・アドレス・バス　１４：コントロール・バス　１６：フレーム・アクセス制御回路　１８：アドレス変換テーブル　２０：バス制御回路　２２：入出力ポート　２４：バッファ　２６：Ａ／Ｄ変換器　２８：Ｄ／Ａ変換器